(57)【要約】【課題】パチンコ玉が調整釘と接触することで生じる静電気を確実に接地させることで、静電気によってパチンコ遊技機の制御基板などへの影響を低減させることができるパチンコ遊技機の遊技盤を提供することを課題とする。【解決手段】ベース部材１、導電性部材２、図柄シート３、フィルム４の順に積層固着によって形成させる。【選択図】図１
2007111420.tif 000002
【特許請求の範囲】
【請求項１】
ベース部材、導電性部材、図柄シート、フィルムの順に積層固着によって形成されているパチンコ遊技機の遊技盤。
【請求項２】
ベース部材、導電性部材、化粧紙の順に積層固着によって形成されているパチンコ遊技機の遊技盤。
【発明の詳細な説明】
【技術分野】
【０００１】
本発明は、パチンコ遊技機の遊技盤に関し、詳しくは表面にパチンコ玉を誘導する調整釘が打ち込まれているパチンコ遊技機の遊技盤に関する。
【背景技術】
【０００２】
この種のパチンコ遊技機の遊技盤として、例えば特許文献１に記す技術が既に知られている。この技術では、パチンコ遊技機の遊技盤の表面（遊技者側の面）には図柄を印刷した図柄シートが貼り付けられており、さらに、この図柄シートの表面にはフィルムが貼り付けられている。このように貼り付けられたフィルムを通して、遊技者は印刷された図柄を見ながら遊技を楽しむことができる。さらに、このようにフィルムを貼り付けることで、パチンコ玉の転動によって生じる図柄シート表面の磨耗、損傷を防ぐことができる。
【特許文献１】特開平１０−９９４９０号公報
【発明の開示】
【発明が解決しようとする課題】
【０００３】
しかしながら、上述したパチンコ遊技機の遊技盤では、パチンコ玉が調整釘と接触することで生じる静電気によってパチンコ遊技機の制御基板などが影響を受けることがありトラブルの原因となっていた。
【０００４】
本発明は、このような課題を解決しようとするもので、その目的は、パチンコ玉が調整釘と接触することで生じる静電気を確実に接地させることで、静電気によってパチンコ遊技機の制御基板などへの影響を低減させることができるパチンコ遊技機の遊技盤を提供することである。
【課題を解決するための手段】
【０００５】
本発明は、上記の目的を達成するためのものであって、以下のように構成されている。
請求項１に記載のパチンコ遊技機の遊技盤は、ベース部材、導電性部材、図柄シート、フィルムの順に積層固着によって形成されている。
この構成によれば、導電性部材を接地端子と電気的に接続させることにより、この導電性部材を介してパチンコ玉が遊技盤の表面に打ち込まれた調整釘と接触することで生じる静電気を確実に接地端子へと送ることができる。
【０００６】
また、請求項２に記載のパチンコ遊技機の遊技盤は、ベース部材、導電性部材、化粧紙の順に積層固着によって形成されている。
この構成によれば、請求項１に記載の作用効果だけでなく、さらに特有の作用効果として、この遊技盤を使用したパチンコ遊技機を廃棄処分する際には、フィルムを剥離する手間を省くことができる。すなわち、廃棄処分する際には、そのまま、直に焼却処分することができる。
【発明を実施するための最良の形態】
【０００７】
以下、本発明を実施するための最良の形態を、図面を用いて説明する。
（実施例１）
まず、図１によって実施例１のパチンコ遊技機の遊技盤Ａを説明する。遊技盤Ａは、ベース部材１と、このベース部材１の表面（遊技者側の面）側に貼り付けた導電性部材２と、この導電性部材２の表面側に貼り付けた図柄シート３と、この図柄シート３の表面側に貼り付けたフィルム４とからなっている。そして、これらベース部材１、導電性部材２、図柄シート３、フィルム４は、互いに図示しない接着剤によって積層固着されている。
【０００８】
ベース部材１は、パチンコ遊技機の正面に位置する面盤であり、例えば、特開２００５−２９９１７号公報に開示されている積層成形体の製造方法によって複数の層体を積層させて製造されたボードである。
【０００９】
導電性部材２は、例えば、厚さ０．２５〜０．３ｍｍの紙に墨汁を含浸乾燥させたものである。これにより、単なる紙を導電性を有する紙とすることができる。なお、この導電性部材２は、図示しない接地（アース）端子と電気的に接続されている。
【００１０】
図柄シート３は、一般的な紙類に所望の図柄を印刷した紙類である。これにより、遊技者は印刷された図柄を見ながら遊技を楽しむことができる。
【００１１】
フィルム４は、例えば、セルロイド、またはポリエステル、またはキャブロイドなどの透過性を有するフィルムである。これにより、パチンコ玉の転動によって生じる図柄シート３表面の磨耗、損傷を防ぐことができる。
【００１２】
上述したように構成された遊技盤Ａの表面側には、図示しないパチンコ玉を誘導する複数の調整釘５が、フィルム４、および図柄シート３、および導電性部材２を貫通するようにベース部材１まで打ち込まれている。
【００１３】
続いて、遊技盤Ａの作用効果について説明する。遊技の開始に伴って打ち出されたパチンコ玉は、調整釘５によってフィルム４表面において所望する位置へと誘導されるとともに、フィルム４表面に沿って何回となく転動される。これにより、パチンコ玉が調整釘５と接触することで静電気が生じることになる。この静電気は、調整釘５から導電性部材２を通して接地端子へと送られる。このように、静電気を確実に接地端子へ送ることができるため、静電気によってパチンコ遊技機の図示しない制御基板などへの影響を低減させることができる。
【００１４】
なお、パチンコ玉と接触する可能性のある全ての調整釘５は、上述したようにフィルム４、および図柄シート３、および導電性部材２を貫通するようにベース部材１まで打ち込まれている。これにより、パチンコ玉が複数の調整釘５のどの調整釘５と接触しても、生じた静電気を確実に接地端子へと送ることができる。
【００１５】
（実施例２）
次に、図２によって実施例２のパチンコ遊技機の遊技盤Ｂを説明する。なお、遊技盤Ｂを説明するにあたっては、実施例１の遊技盤Ａと同一な構成の部材には、図面において同一符号を付すことで、重複する説明は省略する。このことは、後述する実施例３においても同様である。
【００１６】
遊技盤Ｂは、ベース部材１と、このベース部材１の表面（遊技者側の面）側に貼り付けた導電性部材２、この導電性部材２の表面側に貼り付けた化粧紙６とからなっている。そして、これらベース部材１、導電性部材２、化粧紙６は、互いに図示しない接着剤によって積層固着されている。
【００１７】
化粧紙６は、日本デコール株式会社製の化粧紙（デルナチュレ）である。この化粧紙６には、実施例１で説明した図柄シート３と同様に、所望の図柄を印刷することができる。また、この化粧紙６の表面は、非常に強靭で耐磨耗性、耐擦傷性、耐汚染性に優れている。そのため、この化粧紙６には、実施例１で説明したフィルム４と同様の作用効果を有することになる。したがって、化粧紙６の表面には、このフィルム４を貼り付ける必要がない。
【００１８】
続いて、遊技盤Ｂの作用効果について説明する。この遊技盤Ｂには、既に説明した遊技盤Ａと同様に導電性部材２を含むため、遊技盤Ａと同様、パチンコ玉が調整釘５と接触することで生じる静電気による制御基板への影響を低減させることができる作用効果を含んでいる。また、遊技盤Ｂ特有の作用効果として、上述したように遊技盤Ｂはフィルム４を含まない構成であるため、この遊技盤Ｂを使用したパチンコ遊技機を廃棄処分する際には、フィルム４を剥離する手間を省くことができる。
【００１９】
一般的に、パチンコ遊技機は焼却によって廃棄処分されている。そのため、遊技盤Ａを使用したパチンコ遊技機を廃棄処分する場合、フィルム４を剥離した後でなければ焼却できない。このフィルム４の剥離作業は困難で且つ手間を要する作業であった。なお、導電性部材２は紙であるため剥離する必要がなく、ベース部材１および化粧紙６と共に焼却することが可能であることは言うまでもない。
【００２０】
（実施例３）
次に、図３によって実施例３のパチンコ遊技機の遊技盤Ｃを説明する。遊技盤Ｃは、表面（遊技者側の面）側に導電性部材２ａを一体成形したベース部材１ａと、この導電性部材２ａの表面側に貼り付けた化粧紙６とからなっている。そして、これらベース部材１ａ、化粧紙６は、互いに図示しない接着剤によって積層固着されている。
【００２１】
このように、遊技盤Ｃは、実施例２で説明した遊技盤Ｂのベース部材１と導電性部材２とを予め一体成形によって製造したものを適用させる構成である。具体的には、ベース部材１ａを、実施例１、２で説明したベース部材１と同様、特開２００５−２９９１７号公報に開示されている製造方法によって積層構造となるように形成する。なお、その際、表面（遊技者側の面）側の層体に墨汁を含浸乾燥させたものを積層させる。これにより、表面側に導電性部材２ａを一体成形したベース部材１ａを製造することができる。
【００２２】
続いて、遊技盤Ｃの作用効果について説明する。この遊技盤Ｃには、既に説明した遊技盤Ａと同様に導電性部材２ａを含むため、遊技盤Ａと同様、パチンコ玉が調整釘５と接触することで生じる静電気による制御基板への影響を低減させることができる作用効果を含んでいる。また、遊技盤Ｃは、既に説明した遊技盤Ｂと同様にフィルム４を含まない構成であるため、この遊技盤Ｃを使用したパチンコ遊技機を廃棄処分する際には、フィルム４を剥離する手間を省くことができる。また、遊技盤Ｃ特有の作用効果として、上述したように遊技盤Ｃはベース部材１ａと導電性部材２ａとが一体成形されているため、遊技盤Ｂで説明したように、ベース部材１と導電性部材２とを貼り合わせる手間を省くことができる。
【００２３】
上述した内容は、あくまでも本発明の一実施の形態に関するものであって、本発明が上記内容に限定されることを意味するものではない。
実施例１では、図柄シート３の表面側にフィルム４を貼り付ける構成を例に説明した。しかし、これに限定されるものでなく、フィルム４に直に図柄を印刷する構成でも構わない。その場合には、図柄シート３が不要な構成となる。
【図面の簡単な説明】
【００２４】
【図１】図１は、実施例１のパチンコ遊技機の遊技盤Ａを説明する図である。
【図２】図２は、実施例２のパチンコ遊技機の遊技盤Ｂを説明する図である。
【図３】図３は、実施例３のパチンコ遊技機の遊技盤Ｃを説明する図である。
【符号の説明】
【００２５】
１、１ａ    ベース部材
２、２ａ    導電性部材
３          図柄シート
４          フィルム
５          調整釘
６          化粧紙
Ａ、Ｂ、Ｃ  遊技盤
【図１】
2007111420.tif 000003
【図２】
2007111420.tif 000004
【図３】
2007111420.tif 000005